(57)【要約】【課題】  設置スペースの増大を未然に防止しつつ十分な演出効果が得られる。【解決手段】  ドット表示部６１が保持フレーム６３Ｌ，６３Ｒにより回転軸４３周りに回動可能に支持されている。駆動モータ７１の駆動軸７３に取り付けられたウォーム７５とウォームホイール８１とが噛合しており、ウォームホイール８１と一体的に回動体８５が形成されている。回動体８５には係合ピン８７ａ，８７ｂが突設され、ドット表示部６１の裏面から後方に延びるアーム部６５の接続部６５ｃが係合ピン８７ａ，８７ｂに遊びを有して係合している。駆動モータ７１の駆動によりウォームホイール８１が回転し、ウォームホイール８１に連動して係合ピン８７ａ，８７ｂが回転すると、ドット表示部６１が回転軸４３周りに回転移動する。【選択図】  図３
2005253763.tif 000002
【特許請求の範囲】
【請求項１】
筐体の前面を開閉自在に閉塞する前面パネルに設けられた表示窓と、
前記表示窓の内側に配設され、遊技者のスタート操作により回転が開始される回転リールと、
前記回転リールの上前方で前記表示窓の内側の表示位置と該表示位置から後方に退避した前記回転リールの上方の退避位置との間で移動可能に設けられた演出手段と、
前記回転リールの上方に配設され、前記演出手段を前記表示位置と前記退避位置との間で移動させる駆動手段と、
遊技状況に応じた所定の演出パターンで前記駆動手段を制御する制御手段と
を備えたことを特徴とする遊技機。
【請求項２】
前記駆動手段が、
前記回転リールの上方に固定された駆動モータと、
前記演出手段を前記表示位置と前記退避位置との間で前記回転リールの回転軸周りに回転移動可能に支持する支持手段と、
前記駆動モータの回転駆動力を前記演出手段の駆動力に変換して前記演出手段に伝達する伝達手段と
を備えたものであることを特徴とする請求項１に記載の遊技機。
【請求項３】
前記駆動モータは、その駆動軸がほぼ水平になるように配設され、
前記伝達手段が、
前記駆動軸に取り付けられたウォームと、
前記ウォームに噛合してほぼ水平な面内で回転するウォームホイールと、
前記ウォームホイールと前記演出手段とを遊びを有して連結し、前記ウォームホイールの回転により前記演出手段を回転移動させる連結手段と
を備えたものであることを特徴とする請求項２に記載の遊技機。
【請求項４】
前記連結手段が、
前記演出手段から後方に突設されたアーム部と、
前記ウォームホイールの回転に連動して回転し、前記アーム部が遊びを有して係合する係合部と
を備えていることを特徴とする請求項３に記載の遊技機。
【請求項５】
前記駆動モータは、その駆動軸がほぼ前後方向を向くように配設され、
前記伝達手段が、
前記駆動軸の前端部に設けられた雄ねじと、
後端面に円筒状の凹部が形成され前後方向に移動自在に設けられた筒状の移動体と、
前記移動体の前記凹部内面に形成され前記雄ねじが螺合する雌ねじと、
前記移動体と前記演出手段とを遊びを有して連結し、前記移動体の移動により前記演出手段を回転移動させる連結手段と
を備えたものであることを特徴とする請求項２に記載の遊技機。
【請求項６】
前記駆動モータは、その駆動軸が前記回転軸とほぼ平行になるように配設され、
前記伝達手段が、その一端側が前記駆動軸に巻き付けられ、その他端側が前記演出手段に取り付けられた索状体を備えていることを特徴とする請求項２に記載の遊技機。
【発明の詳細な説明】
【技術分野】
【０００１】
本発明は、スロットマシンなどの遊技機に関するものである。
【背景技術】
【０００２】
一般的なスロットマシンなどの遊技機は、外周面に複数の図柄が描かれた３個の回転リールを一斉に回転開始するためのスタートレバー、各回転リールに対応する３個の停止操作部などを備え、１〜３枚のメダルを投入した後にスタートレバーの操作で３つの回転リールが回転を開始するとともに、入賞態様を決定するための抽選が行われる。そして、遊技者が各回転リールに対応する停止操作部を順次操作することで対応する回転リールの回転が停止するが、上記抽選により所定の入賞態様に当選した場合には、その入賞態様に対応する図柄の組合せが揃いやすくなるように回転リールの停止制御が行われ、その図柄の組合せがメダル投入枚数に応じて有効化された１又は複数の入賞ライン上に停止すると、その入賞態様に応じて予め設定された枚数のメダルが受け皿に払い出される。このような遊技機では、従来、遊技者の興趣を高めるために、遊技に関連する演出を行うようにしたものが知られている（例えば特許文献１参照）。この特許文献１に記載の遊技機では、所定の図柄が形成されたカバー部材を支持する回動レバーを、回転リールの後方または側方に配置されたモータにより回動している。
【０００３】
【特許文献１】特開平１１−９７６３号公報（図３、図５）
【発明の開示】
【発明が解決しようとする課題】
【０００４】
しかしながら、上記特許文献１に記載の遊技機では、モータを回転リールの後方または側方に配置しているため、モータの分だけ前後方向または横方向に筐体が大型化し、設置スペースの増大を招くという問題が生じる。
【０００５】
本発明は、上記課題に鑑みてなされたもので、設置スペースの増大を未然に防止しつつ十分な演出効果が得られる遊技機を提供することを目的とする。
【課題を解決するための手段】
【０００６】
上記目的を達成するために、本発明にかかる遊技機は、筐体の前面を開閉自在に閉塞する前面パネルに設けられた表示窓と、前記表示窓の内側に配設され、遊技者のスタート操作により回転が開始される回転リールと、前記回転リールの上前方で前記表示窓の内側の表示位置と該表示位置から後方に退避した前記回転リールの上方の退避位置との間で移動可能に設けられた演出手段と、前記回転リールの上方に配設され、前記演出手段を前記表示位置と前記退避位置との間で移動させる駆動手段と、遊技状況に応じた所定の演出パターンで前記駆動手段を制御する制御手段とを備えたことを特徴としている（請求項1）。
【０００７】
また、前記駆動手段が、前記回転リールの上方に固定された駆動モータと、前記演出手段を前記表示位置と前記退避位置との間で前記回転リールの回転軸周りに回転移動可能に支持する支持手段と、前記駆動モータの回転駆動力を前記演出手段の駆動力に変換して前記演出手段に伝達する伝達手段とを備えたものであるとしてもよい（請求項２）。
【０００８】
また、前記駆動モータは、その駆動軸がほぼ水平になるように配設され、前記伝達手段が、前記駆動軸に取り付けられたウォームと、前記ウォームに噛合してほぼ水平な面内で回転するウォームホイールと、前記ウォームホイールと前記演出手段とを連結し、前記ウォームホイールの回転により前記演出手段を回転移動させる連結手段とを備えたものであるとしてもよい（請求項３）。
【０００９】
また、前記連結手段が、前記演出手段から後方に突設されたアーム部と、前記ウォームホイールの回転に連動して回転し、前記アーム部が遊びを有して係合する係合部とを備えているとしてもよい（請求項４）。
【００１０】
また、前記駆動モータは、その駆動軸がほぼ前後方向を向くように配設され、前記伝達手段が、前記駆動軸の前端部に設けられた雄ねじと、後端面に円筒状の凹部が形成され前後方向に移動自在に設けられた筒状の移動体と、前記移動体の前記凹部内面に形成され前記雄ねじが螺合する雌ねじと、前記移動体と前記演出手段とを遊びを有して連結し、前記移動体の移動により前記演出手段を回転移動させる連結手段とを備えたものであるとしてもよい（請求項５）。
【００１１】
また、前記駆動モータは、その駆動軸が前記回転軸とほぼ平行になるように配設され、前記伝達手段が、その一端側が前記駆動軸に巻き付けられ、その他端側が前記演出手段に取り付けられた索状体を備えているとしてもよい（請求項６）。
【発明の効果】
【００１２】
請求項１の発明によれば、演出手段を表示位置と退避位置との間で移動させる駆動手段を回転リールの上方の限られたスペースに配設しているため、駆動手段を回転リールの後方または側方に配設する場合のように筐体が大型化して設置スペースが増大するのを未然に防止することができる。また、演出手段を移動させているため、多様な演出が可能になり、十分な演出効果を得ることができる。
【００１３】
また、請求項２の発明によれば、駆動モータの回転駆動力を演出手段の駆動力に変換して演出手段に伝達しているため、支持手段により表示位置と退避位置との間で回転リールの回転軸周りに回転移動可能に支持されている演出手段を確実に回転移動させることができる。
【００１４】
また、請求項３の発明によれば、駆動モータの駆動軸に取り付けられたウォームにウォームホイールを噛合させてウォームギアを構成しているため、小径のウォームにより比較的大きなトルクを発生させることができるとともに、駆動モータの駆動を停止することでウォームホイールの回転を確実に停止させることができる。これによって、演出手段の移動および停止の制御を好適に行うことができる。また、駆動モータを、その駆動軸がほぼ水平になるように配設し、ウォームホイールがほぼ水平な面内で回転するため、駆動モータやウォームホイールの上下方向の寸法が大型化せず、回転リールの上方の隙間に駆動モータやウォームホイールを配設することができる。また、ウォームホイールの回転面と演出手段の回転面とが互いに異なっているが、ウォームホイールと演出手段とを遊びを有して連結しているため、ウォームホイールの回転により演出手段を滑らかに回転移動させることができる。
【００１５】
また、請求項４の発明によれば、演出手段から後方に突設されたアーム部が、ウォームホイールの回転に連動して回転する係合部に遊びを有して係合しているため、回転する係合部により、アーム部を介して演出手段を滑らかに回転移動させることができる。
【００１６】
また、請求項５の発明によれば、駆動モータを、その駆動軸がほぼ前後方向を向くように配設し、雄ねじの回転により、雄ねじが螺合する雌ねじが形成された移動体を前後方向に移動させているため、駆動モータや移動体の上下方向の寸法が大型化せず、回転リールの上方の隙間に駆動モータや移動体を配設することができる。また、移動体の移動方向と演出手段の移動方向とが互いに異なっているが、移動体と演出手段とを遊びを有して連結しているため、移動体の前後方向の移動により演出手段を滑らかに回転移動させることができる。
【００１７】
また、請求項６の発明によれば、駆動モータの駆動軸が回転軸とほぼ平行になるように駆動モータが配設され、索状体の一端側が駆動軸に巻き付けられ、他端側が演出手段に取り付けられているため、駆動モータの駆動により索状体を巻き取ったり繰り出したりすることによって、演出手段を移動させることができ、非常に簡易に伝達手段を構成することができる。
【発明を実施するための最良の形態】
【００１８】
図１は本発明にかかる遊技機の一実施形態であるスロットマシンの外観を示す斜視図、図２はスロットマシンの内部構成を示す右側面図である。また、図３はリールユニットの右側面図、図４はリールユニットの平面図である。この実施形態におけるスロットマシン１は、例えば図１ないし図４に示すように構成されている。即ち、このスロットマシン１では、筐体３の前面が前面パネル５により開閉自在に閉塞され、この前面パネル５のほぼ中央高さの位置に操作板７が配設されると共に、この操作板７の上方に正面板９が配設されている。
【００１９】
そして、この正面板９には横長矩形の表示窓１１が設けられている。また、表示窓１１の内側には左・中・右の回転リール１３Ｌ，１３Ｍ，１３Ｒが配置され、表示窓１１からは、回転リール１３Ｌ，１３Ｍ，１３Ｒの図柄が上段・中段・下段の各々３個ずつ覗くように設定されている。更に、この操作板７には、内部に貯留されているクレジットメダルの枚数を減じてメダル投入に代えるためのベットスイッチ１５、各回転リールの回転を開始させるためのスタートスイッチ１７、左・中・右回転リール１３Ｌ，１３Ｍ，１３Ｒの回転をそれぞれ停止させるための左・中・右ストップスイッチ１９Ｌ，１９Ｍ，１９Ｒ、メダル投入口２１、およびクレジットメダルを払い出すための精算スイッチ２３が設けられている。
【００２０】
また、正面板９の上方のほぼ中央には、各種の入賞図柄が表示された説明板２５が設けられ、この説明板２５の上方および左右には、例えばＬＥＤやネオンランプなどの光源が内蔵され遊技者に当選や入賞などを告知するための演出用発光部２７ａ，２７ｂ，２７ｃが設けられている。また、正面板９には入賞ラインが描かれると共に、クレジットメダルの枚数を表示するメダル枚数表示器３１が配設され、操作板７の下方には、メダルの払出口３３や、この払出口３３から払い出されるメダルを受けるメダル受け３５が設けられている。
【００２１】
回転リール１３Ｌ，１３Ｍ，１３Ｒを含むリールユニット３９は、図２に示すように、筐体３の後壁３ａに固定された支持枠体４１を備えている。この支持枠体４１は、各回転リール１３Ｌ，１３Ｍ，１３Ｒを回転軸４３周りに回転可能に支持している。リールユニット３９の下方には、メダルを払出口３３に排出するためのホッパーユニット４５が配設されている。また、リールユニット３９の上方には、制御基板４６が封入された基板ケース４７が筐体３の後壁３ａに固定されている。さらに、リールユニット３９の上方には、所定の制御信号や検出信号などを外部に出力するための外部集中端子板４９が筐体３の左側壁３ｂに固定されている。また、演出用発光部２７ａの内部には、プリント基板５１が配設され、このプリント基板５１には複数の光源５３が並設されている。また、説明板２５の内部には、説明板２５を照明するための蛍光灯５５が配設され、さらに、蛍光灯５５の後方には、蛍光灯５５の光を前方に反射するための反射板５７が配設されている。
【００２２】
基板ケース４７内の制御基板４６、演出用発光部２７ａ，２７ｂ，２７ｃの光源５３、外部集中端子板４９などは、フラットケーブルなどの配線ケーブル（図示省略）により互いに電気的に接続されており、リールユニット３９の上方のスペースに、これらの配線ケーブルが引き回されている。その結果、リールユニット３９の上方は、空きスペースがほとんど無い状態になっている。
【００２３】
リールユニット３９は、さらに、ドット表示部６１、駆動モータ７１およびウォームホイール８１を備えている。このドット表示部６１は、ドットマトリクス構成の多数のＬＥＤが配置されたほぼ矩形形状の板状体で、保持フレーム６３Ｌ，６３Ｒにより回転軸４３周りに回転可能に支持されており、遊技に関連する演出を行うためのものである。なお、ドット表示部６１はＬＥＤに限られず、ＬＣＤやＥＬなどの発光表示体を用いるようにしてもよい。
【００２４】
駆動モータ７１は、その駆動軸７３がほぼ水平で、かつ各回転リール１３Ｌ，１３Ｍ，１３Ｒの回転軸４３と平行になるように、支持枠体４１の上面４１ａに固定されており、駆動軸７３にはウォーム７５が取り付けられている。駆動モータ７１は、本実施形態では例えば、ステッピングモータを用いている。なお、駆動モータ７１はステッピングモータに限られず、ＤＣモータなどの正転および反転が可能なモータであればよい。ウォームホイール８１は、ほぼ鉛直方向の回転軸８３周りに、ほぼ水平な面内で回動自在に配設されている。このウォームホイール８１は、ウォーム７５に噛合しており、ウォーム７５およびウォームホイール８１によりウォームギアが構成されている。このウォームホイール８１は、平面視ほぼ扇形形状で、ウォーム７５の回動により所要の角度範囲内で回動可能になっている。
【００２５】
ウォームホイール８１の近傍に、回転軸８３から外向きに延びる回動体８５が設けられている。この回動体８５は、ウォームホイール８１と一体的に形成されており、ウォームホイール８１の回動に連動して回転軸８３周りに回動する。この回動体８５には、ほぼ回転軸８３を中心とする円周方向に並んで、２個の係合ピン８７ａ，８７ｂが互いに所定の間隙を有してほぼ鉛直方向に立設されている。
【００２６】
一方、ドット表示部６１の裏面には、後方に向けて延びるアーム部６５が設けられている。このアーム部６５は、ドット表示部６１の裏面から後方に延設された２個の薄板状の延設部６５ａ，６５ｂと、これらの延設部６５ａ，６５ｂの先端を互いに接続する棒状の接続部６５ｃとからなる。延設部６５ａ，６５ｂは、ほぼ水平方向に左右に並んで、互いに所要の間隔をおいて、ドット表示部６１の裏面にほぼ垂直に設けられている。また、接続部６５ｃは、ドット表示部６１の裏面にほぼ平行に、かつ水平になるように形成されている。そして、接続部６５ｃは、２個の係合ピン８７ａ，８７ｂに挟まれるように配設されている。接続部６５ｃの前後方向（図４中、左右方向）のサイズは、係合ピン８７ａ，８７ｂの前後方向の隙間より多少小さくなるように設定されており、これによって、アーム部６５の接続部６５ｃは、遊びを有して係合ピン８７ａ，８７ｂに係合している。このように、この実施形態では、ドット表示部６１が本発明の「演出手段」に相当し、保持フレーム６３Ｌ，６３Ｒが本発明の「支持手段」に相当し、係合ピン８７ａ，８７ｂが本発明の「係合部」に相当する。また、アーム部６５および係合ピン８７ａ，８７ｂが本発明の「連結手段」を構成し、これらとウォーム７５とウォームホイール８１とが本発明の「伝達手段」を構成する。
【００２７】
次に、ドット表示部６１の回転移動について説明する。図５はドット表示部６１が退避位置にある状態におけるリールユニットの右側面図、図６は同状態におけるリールユニットの平面図である。なお、図２〜図４はそれぞれドット表示部６１が表示位置にある状態を示している。
【００２８】
まず、ドット表示部６１の退避位置から表示位置への回転移動について説明する。図５、図６に示す状態において、駆動モータ７１の例えば正転開始によりウォーム７５が回転を開始すると、ウォーム７５と噛合しているウォームホイール８１が、図６中、反時計回り方向に回転を開始する。ウォームホイール８１が回転すると、ウォームホイール８１に連動して係合ピン８７ａ，８７ｂも反時計回り方向に回転する。この回転する係合ピン８７ａ，８７ｂに押されて、係合ピン８７ａ，８７ｂに係合する接続部６５ｃが前方（図６中、左方）に向けて移動する。
【００２９】
接続部６５ｃの移動により、延設部６５ａ，６５ｂを介してドット表示部６１は前方に向けて押されるが、ドット表示部６１は保持フレーム６３Ｌ，６３Ｒにより回転軸４３周りに回転自在に支持されているため、ドット表示部６１は回転軸４３周りに、図５中、反時計回り方向に回転移動し、図３、図４に示すように表示位置に到達することとなる。
【００３０】
このドット表示部６１の回転移動において、係合ピン８７ａ，８７ｂを結ぶ線と接続部６５ｃの中心線とのなす角度θは、図６の状態から図４の状態までウォームホイール８１の回転に伴って刻々と変化する。すなわち、係合ピン８７ａ，８７ｂは回転移動しているのに対して、係合ピン８７ａ，８７ｂにより押される接続部６５ｃは前方に向けて直線移動しており、両者の移動方向は互いに異なっている。また、ドット表示部６１は回転軸４３周りに回転移動しているため、図６の状態から図４の状態まで、接続部６５ｃ自体が係合ピン８７ａ，８７ｂに対して自転している。しかしながら、上述したように、接続部６５ｃは遊びを有して係合ピン８７ａ，８７ｂに係合しているため、それらの移動方向が互いに異なっており、接続部６５ｃが自転していても、滑らかにドット表示部６１を回転移動させることができる。
【００３１】
次に、ドット表示部６１の表示位置から退避位置への回転移動について説明する。図３、図４に示す状態において、駆動モータ７１の例えば反転開始によりウォーム７５が逆回転を開始すると、ウォーム７５と噛合しているウォームホイール８１が、図４中、時計回り方向に回転を開始する。ウォームホイール８１が回転すると、ウォームホイール８１に連動して係合ピン８７ａ，８７ｂも時計回り方向に回転する。この回転する係合ピン８７ａ，８７ｂに押されて、係合ピン８７ａ，８７ｂに係合する接続部６５ｃが後方（図６中、右方）に向けて移動する。接続部６５ｃの移動により、延設部６５ａ，６５ｂを介してドット表示部６１は後方に向けて引っ張られるが、ドット表示部６１は保持フレーム６３Ｌ，６３Ｒにより回転軸４３周りに回転自在に支持されているため、ドット表示部６１は、図３中、回転軸４３周りに時計回り方向に回転移動し、図５、図６に示すように退避位置に到達することとなる。
【００３２】
図７はスロットマシン１の電気的構成を示すブロック図である。投入センサ１０１は、メダル投入口２１に設けられ、投入されたメダルを検知するものである。メモリ１０３には遊技機用プログラムが格納されており、ＣＰＵ１０５は、この遊技機用プログラムにしたがって動作すると、遊技制御手段１０５ａおよび演出制御手段１０５ｂとして機能する。遊技には、一般的な遊技である通常遊技と、遊技者にとって通常遊技よりも有利な遊技である特別遊技（ボーナスゲーム）とがあり、遊技制御手段１０５ａはこれらの遊技を制御する。
【００３３】
通常遊技の概要について説明する。このスロットマシン１では、投入センサ１０１によりメダル投入口２１からのメダル投入が検出されるか、またはベットスイッチ１５の操作によりクレジットメダルの投入指示があると、ゲームが開始される。そして、ゲーム開始後にスタートスイッチ１７を操作すると、まず、当選か否かの抽選が行われ、ほぼ同時に、３個すべての回転リール１３Ｌ，１３Ｍ，１３Ｒの回転が開始する。その後に、３個のストップスイッチ１９Ｌ，１９Ｍ，１９Ｒのうちの１個を操作すると、当該ストップスイッチ１９Ｌ，１９Ｍ，１９Ｒに対応した回転リール１３Ｌ，１３Ｍ，１３Ｒの回転が停止する。そして、３個すべてのストップスイッチ１９Ｌ，１９Ｍ，１９Ｒを操作し終えると、３個すべての回転リール１３Ｌ，１３Ｍ，１３Ｒの回転が停止する。このとき、所定の図柄が所定の位置に停止すると入賞になり、ホッパーユニット４５により遊技者に対して所定枚数のメダルが払い出されるか、又は遊技者に対してリプレイなどの所定の利益が付与される。なお、メダルの払い出しに代えて、クレジットメダルとして内部に貯留されることもある。
【００３４】
抽選結果には、特定導入遊技当選（ビッグボーナス（ＢＢ）当選）と、特定遊技当選（レギュラーボーナス（ＲＢ）当選）と、小役当選と、再遊技当選（Replay当選）と、ハズレとがある。また、入賞には、特定導入遊技（ＢＢゲーム）への移行に係る特定導入遊技入賞（ＢＢ入賞）と、特定遊技（ＲＢゲーム）への移行に係る特定遊技入賞（ＲＢ入賞）と、所定枚数のメダルの払い出しに係る小役入賞と、再遊技（Replay）の実行に係る再遊技入賞（Replay入賞）とがある。
【００３５】
上記ＲＢゲームとは、特定入賞遊技（ＪＡＣゲーム）を複数回行い得ることにより、通常遊技よりも当選確率が高い遊技をいい、また、ＢＢゲームとは、ＲＢゲームの導入確率が高い遊技をいい、これらが本発明の「特別遊技」に相当する。そして、所定の図柄（例えば「赤７」または「青７」）が入賞ライン上に３個揃うと、ＢＢ入賞となり、払い出しがある場合にはメダルが払い出されて、通常遊技からＢＢゲームに移行する。また、所定の図柄（例えば「スイカ」）が入賞ライン上に３個揃うと、小役入賞となり、所定枚数のメダルが払い出される。また、例えば、「Replay」の図柄が入賞ライン上に３個揃うと、Replay入賞となり、新たなメダルを投入することなく、前回の遊技と同じ条件で再度遊技を行うことができる。
【００３６】
なお、抽選結果がＢＢ当選になると、ＢＢ当選に基づいた図柄の停止制御が行われるが、このとき、ＢＢ入賞が引き当てられないと、このＢＢ当選は、ＢＢ入賞が引き当てられるまで持ち越されることとなっている。ＲＢ当選についても同様である。ＢＢ当選またはＲＢ当選が持ち越された状態をそれぞれ「ＢＢ内部当り」、「ＲＢ内部当り」と称する。一方、小役当選は、抽選結果が小役当選となった遊技で小役入賞を引き当てられないと、次回の遊技には持ち越されないこととなっている。Replay当選についても同様である。
【００３７】
演出制御手段１０５ｂは、遊技に関連する演出として、例えば抽選結果や入賞の有無などを遊技者に告知するために、演出用発光部２７ａ，２７ｂ，２７ｃなどの動作を制御するもので、例えば各々の演出パターンに応じて演出用発光部２７ａ，２７ｂ，２７ｃの光源５３などを一斉にあるいは個別に点滅させる。
【００３８】
また、演出制御手段１０５ｂは、遊技に関連する演出として、例えば各々の演出パターンに応じて駆動モータ７１を動作させてドット表示部６１を移動させる。例えば、通常遊技中には、図５に示すようにドット表示部６１を退避位置に退避させておく。そして、例えば通常遊技からＢＢゲームまたはＲＢゲームに移行したときに、ドット表示部６１を退避位置から表示位置に向けて回転移動させて、各ＬＥＤを一斉にあるいは個別に点滅させる演出を行う。ドット表示部６１が表示位置にあると、図２に示すように、ドット表示部６１が表示窓１１の上端部から遊技者に見えるため、回転リール１３Ｌ，１３Ｍ，１３Ｒの表示図柄の近傍で効果的に演出を行うことが可能になる。
【００３９】
フォトインタラプタ１０７，１０９は、図４、図６に示すように、支持枠体４１の上面４１ａに配設されている。また、ウォームホイール８１の下面には、下向きに検出片（図示省略）が突設されている。このフォトインタラプタ１０７，１０９は、それぞれウォームホイール８１の回転により回転する検出片を検出することによって、ドット表示部６１の表示位置および退避位置への到達を検出するものである。そして、演出制御手段１０５ｂは、フォトインタラプタ１０７，１０９からの検出信号に基づき、それぞれドット表示部６１の表示位置および退避位置への到達を判定する。
【００４０】
なお、演出制御手段１０５ｂによる演出は上記に限られない。例えば各ＬＥＤの点滅を行いながら、ドット表示部６１を退避位置から表示位置に移動する途中で退避位置に戻すような演出を行ってもよい。また、通常遊技からＢＢゲームなどへの移行時に代えてまたは加えて、通常遊技における抽選結果がＢＢ当選またはＲＢ当選のときに、ドット表示部６１の表示位置への移動を行うようにしてもよい。また、フォトインタラプタ１０７，１０９を備えずに演出制御手段１０５ｂが駆動モータ７１に供給するパルス数に基づいて、ドット表示部６１の表示位置および退避位置への到達を判定するようにしてもよい。
【００４１】
以上説明したように、この実施形態によれば、駆動モータ７１を支持枠体４１の上面４１ａに固定しているため、回転リール１３Ｌ，１３Ｍ，１３Ｒの後方や側方に配置する場合のように、筐体３の大型化による設置スペースの増大を招くことがないという利点がある。また、ドット表示部６１を退避位置と表示位置との間で移動させているため、多様な演出が可能になり、十分な演出効果を得ることができる。
【００４２】
また、この実施形態によれば、ウォーム７５にウォームホイール８１を噛合させてウォームギアを構成しているため、小径のウォーム７５により比較的大きなトルクを発生させることができるとともに、駆動モータ７１の駆動を停止することでウォームホイール８１の回転を確実に停止させることができる。これによって、ドット表示部６１の移動および停止の制御を好適に行うことができる。また、駆動モータ７１を、その駆動軸７３がほぼ水平になるように配設し、ウォームホイール８１がほぼ水平な面内で回転するため、駆動モータ７１およびウォームホイール８１の上下方向の寸法が大型化せず、リールユニット３９の上方の隙間に、駆動モータ７１やウォームホイール８１などを配設することができる。
【００４３】
また、この実施形態によれば、ウォームホイール８１の回転面とドット表示部６１の回転面、係合ピン８７ａ，８７ｂの移動方向と接続部６５ｃの移動方向が、それぞれ互いに異なっているが、接続部６５ｃは遊びを有して係合ピン８７ａ，８７ｂに係合しているため、それらが互いに異なっていても、滑らかにドット表示部６１を回転移動させることができる。また、この実施形態によれば、通常遊技中は、ドット表示部６１を退避位置に退避させておき、通常遊技からＲＢゲームやＢＢゲームに移行すると、所定の演出を行うためにドット表示部６１を表示位置に向けて移動させているため、ＲＢゲームやＢＢゲームにおける遊技者の興趣を増大することができる。
【００４４】
なお、本発明は上記実施形態に限定されるものではなく、その趣旨を逸脱しない限りにおいて上述したもの以外に種々の変更を行うことが可能である。例えば、上記実施形態では、アーム部６５および係合ピン８７ａ，８７ｂにより連結手段を構成しているが、本発明の連結手段はこれに限られない。図８は連結手段の異なる構成例を示すリールユニットの部分右側面図、図９は連結手段のさらに異なる構成例を示すリールユニットの部分平面図である。なお、図８、図９はドット表示部６１が表示位置にある状態を示しており、上記実施形態と同一物には同一符号を付している。
【００４５】
図８において、回動体８５には、例えば長孔の係合孔８５ａが透設されている。一方、ドット表示部６１の裏面には、後方に向けて延びるアーム部６６が設けられている。このアーム部６６は、ドット表示部６１の裏面から後方に延設された２個の薄板状の延設部６６ａ，６６ｂと、これらの延設部６６ａ，６６ｂの先端を互いに接続する円柱状の接続部６６ｃとからなる。延設部６６ａ，６６ｂは、ほぼ鉛直方向に上下に並んで、互いに所要の間隔をおいて、ドット表示部６１の裏面にほぼ垂直に設けられている。また、接続部６６ｃは、ドット表示部６１の裏面にほぼ平行で、かつ鉛直方向を向くように形成されている。そして、接続部６６ｃは、係合孔８５ａを貫通するように配設されている。接続部６６ｃの直径は、係合孔８５ａのサイズより多少小さくなるように設定されており、これによって、アーム部６６の接続部６６ｃは、遊びを有して係合孔８５ａに係合している。このように、図８の形態では、係合孔８５ａが本発明の「係合部」に相当し、アーム部６６および係合孔８５ａが本発明の「連結手段」を構成する。
【００４６】
また、図９において、ウォームホイール８１の周面には、２個の係合ピン８２ａ，８２ｂが互いにほぼ平行に所定の間隙を有して突設されている。一方、ドット表示部６１の裏面には、図８と同一構成のアーム部６６が設けられている。そして、接続部６６ｃは、２個の係合ピン８２ａ，８２ｂに挟まれるように配設されている。接続部６６ｃの前後方向（図９中、左右方向）のサイズは、係合ピン８２ａ，８２ｂの前後方向の隙間より多少小さくなるように設定されており、これによって、アーム部６６の接続部６６ｃは、遊びを有して係合ピン８２ａ，８２ｂに係合している。このように、図９の形態では、係合ピン８２ａ，８２ｂが本発明の「係合部」に相当し、アーム部６６および係合ピン８２ａ，８２ｂが本発明の「連結手段」を構成する。
【００４７】
図８や図９の形態でも、ドット表示部６１の裏面から後方に向けて延びるアーム部６６が、係合孔８５ａまたは係合ピン８２ａ，８２ｂに遊びを有して係合しているため、上記実施形態と同様に、ドット表示部６１を滑らかに回転移動させることができる。
【００４８】
また、上記実施形態では、ウォーム７５およびウォームホイール８１を用いて伝達手段を構成しているが、本発明の伝達手段はこれに限られない。図１０は伝達手段の異なる構成例を示すリールユニットの右側面図、図１１は同リールユニットの平面図である。なお、図１０、図１１はドット表示部６１が表示位置にある状態を示しており、上記実施形態と同一物には同一符号を付している。
【００４９】
図１０および図１１において、駆動モータ７１は、その駆動軸７３がほぼ水平で、かつリールユニット３９の前後方向（図１１中、左右方向）を向くように、支持枠体４１の上面４１ａに固定されており、駆動軸７３の前端部には雄ねじ７４が取り付けられている。また、支持枠体４１の上面４１ａには、移動体８４がリールユニット３９の前後方向に移動自在に配設されている。この移動体８４は、筒状で、後端面（図１１中、右端面）には円筒状の凹部８４ａが形成されている。この凹部８４ａの内面には、雄ねじ７４が螺合する雌ねじ８４ｂが形成されている。また、移動体８４の前端面（図１１中、左端面）には、板状の延設部８６が前方に向けて延設されている。この延設部８６には、前後方向に並んで、２個の係合ピン８６ａ，８６ｂが互いに所定の間隙を有してほぼ鉛直方向に立設されている。
【００５０】
そして、ドット表示部６１の裏面から後方に向けて延びるアーム部６５の接続部６５ｃは、２個の係合ピン８６ａ，８６ｂに挟まれるように配設されている。接続部６５ｃの前後方向（図１１中、左右方向）のサイズは、係合ピン８６ａ，８６ｂの前後方向の隙間より多少小さくなるように設定されており、これによって、アーム部６５の接続部６５ｃは、遊びを有して係合ピン８６ａ，８６ｂに係合している。このように、図１０および図１１の形態では、係合ピン８６ａ，８６ｂが本発明の「係合部」に相当し、アーム部６５および係合ピン８６ａ，８６ｂが本発明の「連結手段」を構成し、これらと雄ねじ７４と移動体８４と雌ねじ８４ｂとが本発明の「伝達手段」を構成する。
【００５１】
この形態におけるドット表示部６１の表示位置から退避位置への回転移動について説明する。図１０、図１１に示す状態において、駆動モータ７１の例えば正転開始により雄ねじ７４が回転を開始すると、移動体８４の雌ねじ８４ｂが雄ねじ７４と螺合しているため、移動体８４が後方（図１０中、右方）に向けて移動を開始する。移動体８４が移動すると、延設部８６に突設された係合ピン８６ａ，８６ｂも移動する。この移動する係合ピン８６ａ，８６ｂに押されて、係合ピン８６ａ，８６ｂに係合する接続部６５ｃが後方に向けて移動する。この接続部６５ｃの移動によって、上記実施形態と同様に、ドット表示部６１は回転軸４３周りに、図１０中、時計回り方向に回転移動し、退避位置に到達することとなる。また、ドット表示部６１の退避位置から表示位置への回転移動は、駆動モータ７１の例えば反転により移動体８４が前方に移動することで行われる。
【００５２】
このドット表示部６１の回転移動において、係合ピン８６ａ，８６ｂは直線移動しているのに対して、ドット表示部６１は回転軸４３周りに回転移動しているため、接続部６５ｃ自体が係合ピン８６ａ，８６ｂに対して自転している。しかしながら、上述したように、接続部６５ｃは遊びを有して係合ピン８６ａ，８６ｂに係合しているため、接続部６５ｃが自転していても、滑らかにドット表示部６１を回転移動させることができる。
【００５３】
図１０および図１１の形態によれば、駆動モータ７１を、その駆動軸７３がほぼ水平になるように配設し、移動体８４が前後方向に移動するため、駆動モータ７１および移動体８４の上下方向の寸法が大型化せず、リールユニット３９の上方の隙間に、駆動モータ７１や移動体８４などを配設することができる。このように、図１０および図１１の形態でも、上記実施形態と同様の効果を得ることができる。
【００５４】
図１２は伝達手段のさらに異なる構成例を示すリールユニットの右側面図である。なお、図１２はドット表示部６１が表示位置にある状態を示しており、上記実施形態と同一物には同一符号を付している。
【００５５】
駆動モータ７１は、その駆動軸７３がほぼ水平で、かつ各回転リール１３Ｌ，１３Ｍ，１３Ｒの回転軸４３と平行となるように、支持枠体４１の上面４１ａに固定されており、駆動軸７３にはベルト車７６が取り付けられている。そして、ワイヤ７８の一端がドット表示部６１の裏面に取り付けられ、他端がベルト車７６に巻き付けられている。そして、駆動モータ７１が例えば正転を開始し、ワイヤ７８がベルト車７６に巻き取られると、ドット表示部６１が図１２に示す表示位置から退避位置に向けて回転移動することとなる。一方、駆動モータ７１が例えば反転を開始し、ワイヤ７８がベルト車７６から繰り出されると、ドット表示部６１が押されるようにして退避位置から図１２に示す表示位置に向けて回転移動することとなる。このように、図１２の形態では、ワイヤ７８が本発明の「索状体」に相当する。図１２の形態によれば、駆動モータ７１の回転駆動力をドット表示部６１に伝達する伝達手段を非常に簡易に構成することができる。
【００５６】
なお、例えば図５に示すようにドット表示部６１が退避位置にある状態で、ドット表示部６１および保持フレーム６３Ｌ，６３Ｒを回転軸４３周りに回転自在にしたときに、その自重によりドット表示部６１が反時計回り方向に回転する場合には、ワイヤ７８をベルト車７６から繰り出すだけでドット表示部６１が反時計回り方向に回転移動するので、ワイヤ７８が剛性を有する必要はなく、ワイヤ７８は紐のようなものでもよい。一方、ドット表示部６１が退避位置にある状態で、その自重によりドット表示部６１が反時計回り方向に回転しない場合には、ワイヤ７８をベルト車７６から繰り出すだけではドット表示部６１が反時計回り方向に回転移動しないので、繰り出したワイヤ７８でドット表示部６１を押せるように、ワイヤ７８が剛性を有するものであることが好ましい。この場合、ワイヤ７８を例えばリボン状の金属で形成すればよい。
【図面の簡単な説明】
【００５７】
【図１】本発明にかかる遊技機の一実施形態であるスロットマシンの外観を示す斜視図である。
【図２】スロットマシンの内部構成を示す右側面図である。
【図３】リールユニットの右側面図である。
【図４】リールユニットの平面図である。
【図５】ドット表示部が退避位置にある状態のリールユニットの右側面図である。
【図６】ドット表示部が退避位置にある状態のリールユニットの平面図である。
【図７】スロットマシンの電気的構成を示すブロック図である。
【図８】連結手段の異なる構成例を示すリールユニットの部分右側面図である。
【図９】連結手段のさらに異なる構成例を示すリールユニットの部分平面図である。
【図１０】伝達手段の異なる構成例を示すリールユニットの右側面図である。
【図１１】伝達手段の異なる構成例を示すリールユニットの平面図である。
【図１２】伝達手段のさらに異なる構成例を示すリールユニットの右側面図である。
【符号の説明】
【００５８】
１…スロットマシン、３…筐体、５…前面パネル、１１…表示窓、１３Ｌ，１３Ｍ，１３Ｒ…回転リール、４３…回転軸、６１…ドット表示部（演出手段）、６３Ｌ，６３Ｒ…保持フレーム（支持手段）、６５，６６…アーム部（連結手段）、７１…駆動モータ（駆動手段）、７４…雄ねじ、７５…ウォーム（伝達手段）、７８…ワイヤ（索状体）、８１…ウォームホイール（伝達手段）、８２ａ，８２ｂ，８６ａ，８６ｂ，８７ａ，８７ｂ…係合ピン（係合部、連結手段）、８４…移動体、８４ｂ…雌ねじ、８５ａ…係合孔（係合部、連結手段）、１０５…ＣＰＵ、１０５ｂ…演出制御手段（制御手段）
【図１】
2005253763.tif 000003
【図２】
2005253763.tif 000004
【図３】
2005253763.tif 000005
【図４】
2005253763.tif 000006
【図５】
2005253763.tif 000007
【図６】
2005253763.tif 000008
【図７】
2005253763.tif 000009
【図８】
2005253763.tif 000010
【図９】
2005253763.tif 000011
【図１０】
2005253763.tif 000012
【図１１】
2005253763.tif 000013
【図１２】
2005253763.tif 000014